(57)【要約】【課題】本発明の課題は、前記従来技術の問題点を解決して、パソコン等の安価で比較的簡単な装置で、手軽に検索可能な検索方法及びこの検索に利用される検索用データベース、この検索用データベースの製造方法並びにこれらの検索方法及び製造方法を記録したコンピュータ読み取り可能な記録媒体を提供することにある。【解決手段】  本発明においては、記録済の画像情報を有する第１の記録媒体の画像情報を記録した第２の記録媒体から切り出された静止画像と、この静止画像に連続する動画画像と、この静止画像に対応するキーワード及び前記第１の記録媒体を示す識別記号とが前記静止画像に対応して記録されている検索用データベースとした。【選択図】図１
2005339138.tif 000002
【特許請求の範囲】
【請求項１】
記録済の画像情報を有する第１の記録媒体の画像情報を記録した第２の記録媒体から切り出された静止画像と、この静止画像に連続する動画画像と、この静止画像に対応するキーワード及び前記第１の記録媒体を示す識別記号とが前記静止画像に対応して記録されていることを特徴とする検索用データベース。
【請求項２】
記録済の画像情報を有する第１の記録媒体を再生して第２の記録媒体に前記画像情報を記録する工程と、第２の記録媒体に記録された画像情報からこの画像情報の所定長間隔で一定時間記録して、静止画像とこの静止画像に連続する動画画像を切り出し、前記静止画像に対応するキーワード及び前記第１の記録媒体を示す識別記号とを前記静止画像に対応して入力する工程と、前記静止画像、動画画像、キーワード及び識別記号とを第３の記録媒体に記録、登録する工程を備えたことを特徴とする検索用データベースの製造方法。
【請求項３】
請求項２記載の検索用データベースの製造方法のプログラムを記録したコンピュータ読み取り可能な記録媒体。
【請求項４】
請求項１記載の検索用データベースを使用し、任意のキーワードが入力された際、当該キーワードと前記データベースに記録されているキーワードと一致する静止画像を前記データベースから検索し、検索の結果、該当するキーワードが検索された時、そのキーワードに対応する静止画像を表示装置に表示し、この静止画像から所望の静止画像を選択し、さらにこの選択された静止画像に連続する動画画像を再生して表示装置に表示して、所望の第１の記録媒体を検索することを特徴とする第１の記録媒体の検索方法。
【請求項５】
請求項４記載の検索方法のプログラムを記録したコンピュータ読み取り可能な記録媒体。
【発明の詳細な説明】
【技術分野】
【０００１】
本発明は、画像情報が記録されているビデオテープ等の記録媒体を検索、探し出すのに好適な検索方法及びこの検索用データベース、この検索用データベースの製造方法並びにこれらの検索方法及び製造法を記録したコンピュータ読み取り可能な記録媒体に関する。
【背景技術】
【０００２】
近年において、ビデオテープ等に画像情報を記録し、再生する映像機器の普及に伴って、画像情報を記録した多数のビデオテープ等が作成され、後日、見たい画像を検索するためにビデオテープを再生して探し出さなければならず、所望のビデオテープを探し出すのに多大の時間を要し、ビデオテープの再生のためビデオテープを機器に何度も装填する煩わしさがあった。
【０００３】
これを解消するため、ビデオテープ等に記録された画像情報を再生し、この画像情報から静止画像を切り出し、この静止画像にキ−ワードを対応付けし、このキーワードを検索キーとして検索し、キーワードに対応する静止画像を表示出力して所望のビデオテープを見つけ出す方法が提案されている。（例えば、特許文献１）
しかし、この提案によれば、静止画像を見つけ出して所望の画像の確認を、検索される全ビデオテープの全記録内容を記録、保存したデータベース記録媒体から探し出すため、このデータベース記録媒体として大容量の記録媒体を必要とし、高価となるだけでなく、装置も大掛かりとなってしまう恨みがあった。
しかしながら、個人のビデオ愛好家やビデオ撮影業者などでは、安価で、パーソナルコンピュータ(以下パソコンという)等の簡単な装置で、手軽に所望のビデオテープを検索できるシステムが要望されており、上記のような大型の検索装置では、十分に対応できない難点があった。
【０００４】
【特許文献１】特開平６−３０９３８１号公報
【発明の開示】
【発明が解決しようとする課題】
【０００５】
本発明の課題は、前記従来技術の問題点を解決して、パソコン等の安価で比較的簡単な装置で、手軽に検索可能な検索方法及びこの検索に利用される検索用データベース、この検索用データベースの製造方法並びにこれらの検索方法及び製造方法を記録したコンピュータ読み取り可能な記録媒体を提供することにある。
【課題を解決するための手段】
【０００６】
本発明は、第１の発明として、記録済の画像情報を有する第１の記録媒体の画像情報を記録した第２の記録媒体から切り出された静止画像と、この静止画像に連続する動画画像と、この静止画像に対応するキーワード及び前記第１の記録媒体を示す識別記号とが前記静止画像に対応して記録されていることを特徴とする検索用データベースとすることによって、このデータベースを使用してパソコン等によって安価且つ簡便に所望のビデオテープ等の記録媒体を検索可能とするものである。
【０００７】
本発明による第２の発明は、記録済の画像情報を有する第１の記録媒体を再生して第２の記録媒体に前記画像情報を記録する工程と、第２の記録媒体に記録された画像情報からこの画像情報の所定長間隔で一定時間記録して、静止画像とこの静止画像に連続する動画画像を切り出し、前記静止画像に対応するキーワード及び前記第１の記録媒体を示す識別記号とを前記静止画像に対応して入力する工程と、前記静止画像、動画画像、キーワード及び識別記号とを第３の記録媒体に記録、登録する工程を備えたことを特徴とする検索用データベースの製造方法とすることによって、パソコン等の安価で比較的簡単な装置で手軽に検索可能な検索用データベースをパソコン等で安価且つ簡単な方法で提供可能とするものである。
【０００８】
本発明による第３の発明は、前記第２発明記載の検索用データベースの製造方法のプログラムを記録したコンピュータ読み取り可能な記録媒体とすることによって、汎用されているパソコンで第１の発明によるデータベースの作成を容易に可能とするものである。
【０００９】
本発明による第４の発明は、第１発明記載の検索用データベースを使用し、任意のキーワードが入力された際、当該キーワードと前記データベースに記録されているキーワードと一致する静止画像を前記データベースから検索し、検索の結果、該当するキーワードが検索された時、そのキーワードに対応する静止画像を表示装置に表示し、この静止画像から所望の静止画像を選択し、さらにこの選択された静止画像に連続する動画画像を再生して表示装置に表示して所望の第１の記録媒体を検索することを特徴とする第１の記録媒体の検索方法とすることによって安価かつ簡便に所望のビデオテープ等の記録媒体を検索可能とするものである。
【００１０】
本発明による第５の発明は、前記第４の発明記載の検索方法のプログラムを記録したコンピュータ読み取り可能な記録媒体とすることによって、パソコンを使用して簡単に所望の画像情報の記録されたビデオテープ等の記録媒体を検索可能とするものである。
【００１１】
本発明は、基本的には、コマーシャル用映像等への編集のため、これまで画像情報が撮影記録された多数のビデオテープから適当な映像を選択して使用する際に、所望の前記ビデオテープを安価且つ簡便に見つけ出すのに好適な検索方法及びこの検索方法に好適に使用されるデータベース並びにこのデータベースを適切に製造可能な方法を提供しようとするものである。
【００１２】
本発明においては、記録済の画像情報を有する第１の記録媒体の画像情報を記録した第２の記録媒体から切り出された静止画像と、この静止画像に連続する動画画像と、この静止画像に対応するキーワード及び前記第１の記録媒体を示す識別記号とが前記静止画像に対応して記録されている検索用データベースとすることによって、比較的小容量のデータベース記録媒体に多数の第１記録媒体の画像情報を記録可能として安価で比較的小型の構成とし、汎用のパソコンで十分に作動可能としたものである。
【００１３】
さらに、このような検索用データベースを使用することで、キーワードによる静止画像での検索に加えて、この静止画像と連続する動画画像をも利用してより適切な検索を可能としたものである。
【００１４】
本発明で使用される記録済の画像情報を有する第１の記録媒体は、ビデオテープ、ＣＤ−ＲＯＭ、ＣＤ−Ｒ、ＤＶＤ−ＲＯＭ、ＤＶＤ−Ｒ等のアナログ画像情報及びデジタル画像情報のどちらを記録したものであっても使用可能であるが、アナログ画像情報を記録したものを使用する場合には、アナログ画像情報をデジタル画像情報に変換して第２の記録媒体に記録されることが必要である。このようにデジタル画像情報が記録された第２の記録媒体からは、前記画像情報の所定長毎に静止画像とこの静止画像に連続する動画画像を容易に切り出すことが可能となる。さらにキーワードにより該当する静止画像を検索するために、この静止画像に対応するキーワードが入力され、同時にこのキーワードと対応して第１の記録媒体を識別するための番号等の識別記号も入力され、この識別記号を基準として、キーワードと前記静止画像及びこれに連続する動画画像とが対応付けられて第３の記録媒体に記録、保存される。従って、検索時に、キーワードでの検索によって、キーワードと対応つけられている識別記号を基準にしてキーワードに対応する静止画像を抽出、表示可能となる。
【００１５】
このようにして記録された第３の記録媒体に、同様な手順を繰り返し、多数の第１の記録媒体から静止画像及びこの静止画像に連続する動画画像を切り出し、これらの画像と共に、これらの画像に関係するキーワードと第１記録媒体の識別記号を記録、登録して、多数の第１記録媒体に対応する画像情報が記録された検索用データベースが比較的小容量の記録媒体に、容易且つ確実に製造することができる。この場合、画像情報には前記静止画像及び動画画像のみならず、音声情報も含ませることができる。
【００１６】
前記第２の記録媒体から所定長毎の静止画像及びこれに連続する動画画像を切り出すには、公知のパソコン用プログラムソフトウエアを使用することによって、容易に汎用のパソコンを作動させてなし得るが、この場合、切り出される所定長毎の静止画像は、前記プログラムで前記画像情報の所定長毎に、例えば、画像情報の長さは再生時間に比例するので、１０分毎等の一定再生時間毎に静止画像を切り出すように画像情報の所定長を前記プログラム上で適宜設定することで行うことができ、同様に前記動画画像の記録時間も前記プログラムによって適宜設定可能である。
【００１７】
本発明においては、検索用データベースの製造プログラムは、基本的には、前記静止画像等を切り出すプログラムとキーワードと静止画像及び動画画像とを対応つけを行うプログラムとを適当に組み合わせることによって構成されている。
【００１８】
このようにして製造された検索用データベースを使用して所望の画像を検索するには、キーワードによる検索を行う公知のパソコン用プログラムソフトウエアを使用することによって、パソコンを使用してキーワードによる検索を行い、前記検索用データベースから入力キーワードと一致するキーワードに対応する静止画像を表示装置上に表示させ、このようにして表示された静止画像から所望の画像を探し出し、この画像に対応する第1記録媒体を知ることができる。この場合、静止画像のみでは、適切な映像シーンであるか否か不明なため、さらにこの静止画と連続する動画画像を再生表示することによって、より適切な所望画像を見つけ出すことが可能となる。
【００１９】
このようにして切り出される静止画像及び動画画像は、その枚数が多い程、検索は、緻密なものとなるが、この枚数が多くなるほどデータベースの記録容量を大容量とすることが必要となるので、1つの第１記録媒体につき、１〜５０枚程度好ましくは、５〜２０枚の静止画像、動画画像は１０分以内好ましくは1分以内の再生時間とするのがよい。
【００２０】
さらに、第１記録媒体からこの記録媒体を再生して所望の画像の内容を容易に確認可能なように、前記キーワードと同様に、静止画像に対応する情報として、記録時間いわゆるタイムコードを静止画像に対応させてデータベースに記録、保存しておくことが好ましい。
【００２１】
本発明における検索用プログラムは、基本的には、キーワードによる検索用プログラムと、キーワードに対応付けされた静止画像及びこの静止画像に連続する動画画像を表示するためのプログラムとから構成される。
【００２２】
本発明で使用される第２記録媒体としては、画像情報や静止画像等を一時的に記録することができれば十分であり、また１つの第１記録媒体の記録内容を記録可能な容量を有すれば良い。即ち、第２の記録媒体としては、１つの第１の記録媒体からデータベースを作成した後は、消去し、次の第１記録媒体の記録内容を記録可能であればよく、パソコンに内臓のＲＡＭ、ＲＯＭ、ハードディスク等を好適に使用できる。
【００２３】
本発明で使用される第３の記録媒体は、検索用データベースとして使用されるものであり、１回限り記録可能なＣＤ−Ｒ、ＤＶＤ−Ｒ等の光記録媒体や、繰り返し記録可能なハードディスク等の磁気記録媒体、ＣＤ−ＲＡＭ、ＤＶＤ−ＲＡＭ等の繰り返し記録可能な光記録媒体、光磁気記録媒体等を好適に使用できる。
【００２４】
本発明による検索用データベースは、パソコンによって容易に製造可能であるが、この検索用データベースを作成するためのプログラムをＣＤ−Ｒ、ＤＶＤ−ＲやＣＤ−ＲＯＭ、ＤＶＤ−ＲＯＭ等の記録媒体に記録、保管し、このプログラムを適宜のパソコンに当該記録媒体からダウンロードして使用すれば、容易に適切な検索用データベースを製造することができる。
また、本発明による検索方法もパソコンを使用して容易に行うことが可能であるが、この検索方法をパソコンで実行するためのプログラムをＣＤ−Ｒ、ＤＶＤ−ＲやＣＤ−ＲＯＭ、ＤＶＤ−ＲＯＭ等の記録媒体に保存し、この記録媒体をパソコン上で作動させることによって、適当に本発明による検索方法を容易に実行することができる。
【発明の効果】
【００２５】
本発明においては、記録済の画像情報を有する第１の記録媒体の画像情報を記録した第２の記録媒体から切り出された静止画像と、この静止画像に連続する動画画像と、この静止画像に対応するキーワード及び前記第１の記録媒体を示す識別記号とが前記静止画像に対応して記録されている検索用データベースとすることによって、比較的小容量のデータベース記録媒体に多数の第１記録媒体の画像情報を記録可能として安価で比較的小型の構成とし、汎用のパソコンで十分に作動可能とすることができる。
【００２６】
さらに、このような検索用データベースを使用することで、キーワードによる静止画像での検索に加えて、この静止画像と連続する動画をも利用してより適切な検索を可能とすることができる。
【発明を実施するための最良の形態】
【００２７】
以下に、図面を参照して、本発明を適用したビデオテープ等の第１の記録媒体を検索するためのデータベース、その製造方法及びこのデータベースを使用した第１記録媒体の検索方法の実施例について説明する。
【実施例】
【００２８】
図１は、本発明による実施例で示す検索用データベースの製造方法及び検索方法を説明するための概略構成を示すブロック図である。
【００２９】
図１中、１は、ビデオテープを再生するためのビデオテープレコーダー（ＶＴＲ）、２は、ＶＴＲ１から再生された画像情報をデジタル情報として記録するＡＶＩ(Ａｕｄｉｏ  Ｖｉｄｅｏ  Ｓｔｉｌｌ  Ｉｍａｇｅｓ)ファイル作成手段、３は、ＶＴＲ１から再生された画像情報を表示する表示手段、４は、ＡＶＩファイル作成手段２を作動するための入力手段、５は、ＶＴＲ１から再生された画像情報をデジタル情報として記録するハードディスクからなる第２の記録媒体、６はＡＶＩファイル作成手段２から送給されたデジタル画像情報から所定時間毎に静止画像及びこれに連続する動画画像を切り出すための条件を設定する手段、７は、ＡＶＩファイル作成手段２から送給されたデジタル画像情報を表示するための表示手段、８は、前記切り出しを行うための条件を入力するための入力手段、９は、前記条件設定手段６の条件に従って静止画像及びこれに連続する動画画像を切り出すための手段、１０は、この動作を行わせるための信号を入力するための入力手段、１１は、切り出された静止画像等を表示するための表示装置、１２は、静止画像に対応するキーワードや第１の記録媒体の識別記号等を静止画像に対応させて入力するためのキーワード入力手段、１３は、キーワード等を入力するための入力手段、１４は、静止画像及び動画画像の切り出し手段９及びキーワード入力手段１２から送給された前記静止画像及びこれに連続する動画画像と前記静止画像に対応して記録されているキーワード及び識別記号等とを記録、登録してデータベースを作成するデータベース登録作成手段、１５は、静止画像及び動画画像の切り出し手段９及びキーワードから送給された前記静止画像及びこれに連続する動画画像と前記静止画像に対応して記録されるキーワード及び識別記号等とを記録、登録してデータベースを構成するハードディスクからなる第３の記録媒体、１６は、入力手段１８からのキーワードの入力によって、このキーワードと一致するデータベース１５に記録されているキーワードを検索し、このキーワードに対応する静止画像を表示装置１７に表示する検索手段である。
【００３０】
先ず、本発明による検索用データベースの製造方法について説明する。
【００３１】
図１から明らかなように、ＶＴＲ１で再生されたビデオテープの画像情報は、ＡＶＩファイル作成手段２に送給される。この場合、ビデオテープの画像情報がアナログ情報の場合には、ビデオキャプチャー等のアナログ−デジタル変換手段を介してデジタル情報に変換されて送給される。このようにしてＡＶＩファイル作成手段２に送給されたビデオテープの全画像情報は、デジタル情報として第２の記録媒体５に記録される。この際、第２の記録媒体５に、前記ビデオテープの全画像情報に対応する記録時間（タイムコード）やフレーム番号を付与して記録することもできる。
【００３２】
次に静止画像及びこれに連続する動画画像の切り出し条件、即ち、静止画像を切り出すタイミング及び静止画像に連続する動画画像の切り出される時間を設定する。切り出すタイミングや切り出される時間は、記録済の画像情報を有する第１の記録媒体であるビデオテープの記録時間や記録内容等を考慮して１〜５０枚、好ましくは、５〜２０枚の静止画像が生成されるように、ビデオテープの所定長毎（再生時間に対応する場合には一定再生時間毎）に切り出すタイミングを設定し、同時に、この静止画像に連続する動画画像の切り出される時間を１０分以内、好ましくは、１分以内に設定する。例えば２時間の記録時間を有するビデオテープからは１０分間隔で静止画像を切り出し、１２枚の静止画像を作成するように設定する。同時に、動画画像の切り出し時間は、１０秒間として設定する。このような切り出し条件の設定は、画一的である必要はなく、ビデオテープの記録内容に応じて、各ビデオテープ毎に変えてもよい。このようにビデオテープの所定長毎に切り出すタイミングを設定するので、簡単なプログラムで容易になし得ることが可能となり、安価に行うことができる。
【００３３】
このようにして設定された静止画像及びこれに連続する動画画像の切り出し条件に基づいて第２の記録媒体（ＡＶＩファイル）から静止画像（ＢＭＰ/ＪＰＥＧによるサムネイル画像）を作成し、同時にこの静止画像に連続する動画画像（ＭＰＥＧ２による映像）を作成する。この静止画像の作成時に、その画像の特徴を示すキーワードやビデオテープのタイトル名、サブタイトル、ビデオテープの製作日時、映像長さ、カテゴリ等のキーワードとなりうる検索に有用な情報を入力し、これらの情報と静止画像をこのビデオテープの認識記号により、リンクさせて対応付けを行い、これを第３の記録媒体に記録する。
【００３４】
上記動作を繰り返し、多数の第１記録媒体から画像情報の所定長さ毎の静止画像とこの静止画像に連続する動画画像と、この静止画像に対応するキーワード、第１記録媒体の識別記号を第３の記録媒体に記録して検索用データベースを作成する。
【００３５】
図２は、上記検索用データベースを製造する場合の製造手順を示すフローチャートで、上述のように、スタート２０から開始し、ＡＶＩファイル作成２１を行い、静止画像、動画画像切り出し条件の設定２２を行い、この切り出し条件に基づいてＡＶＩファイルから静止画像及び動画画像を切り出し２３、同時に、切り出された静止画像と対応つけてキーワード等の入力２４を行い、これらの静止画像や動画画像及びキーワード等を第３の記録媒体に記録２５することで基本的な検索用データベースの製造は完了２６する。
【００３６】
このようにして製造されたデータベースには、記録済の画像情報を有する第１の記録媒体の画像情報を記録した第２の記録媒体から切り出された静止画像と、この静止画像に連続する動画画像とこの静止画像に対応するキーワード及び前記第１の記録媒体を示す識別記号とが前記静止画像に対応して記録保管されていることになる。
【００３７】
次に、この検索用データベースを使用して、第１の記録媒体を検索する方法について説明する。
【００３８】
図３は、本発明による検索手順を示すフローチャートである。
【００３９】
先ず、本発明による検索を行うに当たり、図３に示すように、スタート３０により、本発明による検索プログラムをパソコン上で立ち上がらせ、図4に示す検索画面４０を表示装置１７(図１参照)上に表示させる。この検索画面４０には、カテゴリ選択欄４１、日付欄４２、キ−ワード欄４３が表示される。
【００４０】
この検索画面４０の前記欄のうち、検索用キーワード例えば、予めキーワードが決められているカテゴリで検索したい場合には、第一カテゴリの欄４４、第二カテゴリの欄４５、第三カテゴリの欄４６のプルダウンボタン４７をクリックして、予め決められたキーワード、例えば、第一カテゴリの欄４４には、種々の映像の集合である「ライブラリ」や「完全パッケージ」等のキーワードを、第二カテゴリの欄４５には、「ドラマ」、「映画」、「ニュース」、「ＣＭ」等のキーワードを第三カテゴリの欄４６には、「人物」、「動物」、「植物」、「風景」等のキーワードが表示され、これらの表示項目から所望のキーワードを選択し、検索ボタン４８をクリックすることによって、検索が開始される。
【００４１】
このカテゴリで検索する場合には、第一カテゴリの欄４４には、最も広い概念のキーワードで構成され、第二カテゴリの欄４５には、第一カテゴリより狭い概念のキーワードで、また第三カテゴリの欄では、第二カテゴリより狭い概念のキーワードで構成されているので、第一カテゴリの欄４４、第二カテゴリの欄４５、第三カテゴリの欄４６でそれぞれキーワードを選択すると第一、第二及び第三カテゴリのキーワードがＡＮＤ検索されることになる。
【００４２】
また、撮影日時からも検索可能なように、日付欄４２に検索したい年月日を入力し、具体的には、年号を入力手段１８(図１参照)により入力し、プルダウンボタン４７によって月日を選択して検索したい撮影日の始期と終期を設定して、これらの期限を検索キーワードとすることもできる。
【００４３】
キーワード欄４３には、キーワード入力欄４９に任意のキーワードを入力手段１９(図１参照)から入力し、それをキーワードとすることができる。当然カテゴリ選択欄４１、日付欄４２、キ−ワード欄４３の全てを使用し、これらのキーワードからＡＮＤ検索することもできる。
【００４４】
これは、図３におけるキーワード等の入力の手順３１に該当し、このキーワードの入力によって、データベース（図１で示す１５）内に保管されているキーワードと一致するものをデータベースから探し出す（手順３２）。ＮＯであれば、キーワードの入力手順３１に戻り、別のキーワードを再度入力して、検索を繰り返す。ＹＥＳであれば、入力キーワードと一致するデータベースのキーワードに対応する静止画像を出力表示する。(手順３３)この検索の結果表示される検索結果表示画面について図５によって説明する。
【００４５】
図５には、キーワード欄４３の入力欄５１にキーワードとして「ライブラリ」というキーワードを図１で示す入力手段１９から入力し、図４の「検索」キー４８をクリックするとデータベースに記録されている「ライブラリ」というキーワードと一致する静止画像をデータベースから検索表示する。この場合、「ライブラリ」に属する第１記録媒体の最初に切り出された静止画像が表示され、例えば、検索の結果として、「花」の静止画像５１と「おっとせい」の静止画像５２と「街の遠景」の静止画像５３と「ローマの闘技場」の静止画像５４が表示される。この4画面以上の画面が検出された場合には、プルダウンボタン５５をクリックすることで、次の静止画像が表示される。
【００４６】
なお、５６は、プルアップボタンである。この検索では、カテゴリの欄４１の第一カテゴリの欄４４、第二カテゴリの欄４５及び第三カテゴリの欄４６が「すべて」とされ、日付の欄４２は、未入力のため、キーワードの欄４３に入力されている「ライブラリ」というキーワードのみが検索キーワードとなっている。
【００４７】
続いて、例えば、「おっとせい」の画像５２を選択すると、「ライブラリ」のカテゴリで「動物」のカテゴリに属する第１の記録媒体が選択されることになり、この図５の「シーン画像を含む」の欄５０をクリックしてチェックマークを入力すると、前述の「ライブラリ」のカテゴリで「動物」のカテゴリに属する第１の記録媒体から切り出された静止画像の全てが表示され、「前のページ」の欄６２及び「次のページ」の欄６３またはプルアップボタン５６及びプルダウンボタン５５を操作して適宜のページの画面が図６に示すように表示装置１７に表示される。
【００４８】
図６には、シーン名として「牛フルサイズ」６０a、「牛アップ１」６０b、「牛アップ２」６０c、「寝る牛３」６０d、「コアラ木登り１」６０e、「コアラ木登り２」６０f、「コアラ木登り３」６０g、「コアラ木登り４」６０hが表示されている。これらのシーン静止画像から１つの静止画、例えば、「コアラの木登り３」６０gを選択して(図３における手順３５)、この画面をクリックすると、この画像に連続する動画画像が１０秒間再生される(手順３６)。
【００４９】
さらに、図６のこれらの静止画６０a、６０b、６０c、６０d、６０e、６０f、６０g、６０hの下部に「シーン詳細」のボタン６１が設けられており、これらのシーン静止画像に対応する画像情報がシーン名に対応してデータベース内に格納されており、例えば、「コアラの木登り３」６０gの下部にある「シーン詳細」のボタン６１をクリックすると図７に示すような「コアラの木登り３」の静止画像に対応するデータ、「シーン始点タイムコード」、「シーン長」、「シーン名」、「撮影日」、「キーワード」、「あらすじ」、「シーン内容」、「年代」、「地名」、「イベント」、「備考」のシーンのデータ７０が表示され、この静止画像の妥当性を確認することができる。
【００５０】
このデータ７０は、前述のデータベースの製造時に、「ＡＶＩファイルから静止画、動画の切り出し」(図２の手順２３)及び「キーワード、タイトル等の入力」（図２の手順２４）の際、第１の記録媒体の認識記号７１とシーン名とで対応つけて静止画像を第３の記録媒体１５に記録することで、作成されている。なお、この図６では、画面の上部に、参考として、「音声CH1」、「音声CH2」、「音声CH3」、「音声CH4」の有(○)無(×)や「テープ番号」、「ロール番号」、「映像尺」のデータが表示される。
【００５１】
また、図６の上部には、「作品詳細」のボタン６４が設けられており、このボタン６４をクリックすると図８の画面が表示される。
【００５２】
この図８には、第１記録媒体のデータが表示されており、具体的には、「タイトル名」、「サブタイトル」、「製作（OA）日」、「カラー／モノクロ」、「音声」、「キーワード」、「あらすじ」、「映像概要」、「所有会社」、「著作権情報」、「テープ番号」、「テープ始点タイムコード」、「テープ終点タイムコード」、「ロール番号」、「映像尺」、「再生時間」、「カテゴリ」、「音声CH1」、「音声CH2」、「音声CH3」、「音声CH4」、「備考」のデータ８０が表示されている。
【００５３】
これらのデータ８０は、前述の「シーン詳細」のデータ７０と同様に、前述のデータベースの製造時に、「ＡＶＩファイルから静止画、動画の切り出し」(図２の手順２３)及び「キーワード、タイトル等の入力」（図２の手順２４）の際、第１の記録媒体の認識記号７１とタイトル名「ライブラリ」とで対応つけて静止画像を第３の記録媒体１５に記録することで、作成されている。
【００５４】
図６の画像からこれらの画像が記録された第１記録媒体が該当すると検索者が判断した時は、前述の「作品詳細」のボタンをクリックして図８を表示(図３における手順３８)して、テープ番号８０aを知ることができる。このテープ番号によって、「コアラの木登り３」の静止画像が格納されている第１記録媒体を探し出すことができる。これで、本発明による検索方法の手順は、終了(図３における「エンド」３９)する。
【００５５】
本発明による検索方法においては、スタート３０から開始して、キーワード等の入力(手順３１)を行い、この入力されたキーワード等がデータベースに記録されているキーワードと該当するか否かを判断し(手順３２)、ＹＥＳであれば、該当する静止画像を出力表示し(手順３３)、所望の静止画像があるか否かを判断し(手順３４)、ＹＥＳであれば、該当静止画像を選択し(手順３５)、またさらに、この該当静止画像に連続する動画画像を再生し(手順３６)、この動画画像から所望の画像に該当するか否かを判断し(手順３７)テープ番号等を表示して(手順３８)、所望のビデオテープを検索できるようにしてある。テープ番号等を表示した後は、本発明による検索方法は、終了し(手順３９)プログラムを終了させる。
【００５６】
前記キーワードと該当するか否か等の判断手順３２、３４、３７においてＮＯ（図３中「Ｎ」で表記）が選択された場合には、再度、キーワード等の入力(手順３１)に戻り、別のキーワードを入力し、前記手順が繰り返される。
【００５７】
前述のような、検索用データベースの製造方法や検索方法は、図２及び図３に示すプログラムとすることで、汎用のパソコンで適用することが可能となり、安価且つ小型の装置で、容易且つ確実に所望の第１記録媒体を検索することができる。
【産業上の利用可能性】
【００５８】
本発明による検索用データベースや検索方法は、ビデオテープに限らず、ＣＤ−ＲＯＭ、ＤＶＤ−ＲＯＭ等の動画画像の記録されている記録媒体の検索のためにも適切に使用することができる。
【図面の簡単な説明】
【００５９】
【図１】本発明による実施例で示す検索用データベースの製造方法及び検索方法を説明するための概略構成を示すブロック図である。
【図２】本発明による実施例で示す検索用データベースを製造する場合の製造手順を示すフローチャートである。
【図３】本発明の実施例で示す検索方法の手順を示すフローチャートである。
【図４】本発明の実施例で示す検索画面についての表示装置の表示画面を示す図である。
【図５】本発明の実施例で示す検索結果についての表示装置の表示画面を示す図である。
【図６】本発明による実施例で示す検索結果から導き出される表示装置の表示画面を示すである。
【図７】本発明の実施例で示すシーンの内容データについての表示装置の表示画面を示すである。
【図８】本発明の実施例で示す第１記録媒体の記録内容データについての表示装置の表示画面を示す図である。
【符号の説明】
【００６０】
１    ビデオテープレコーダー
２    ＡＶＩファイル作成手段
３    表示手段
４    入力手段
５    第２の記録媒体
６    静止画、動画の切り出し条件設定手段
９    静止画、動画切り出し手段
１２  キ−ワード入力手段
１４  データベース登録作成手段
１６  検索手段
２１  ＡＶＩファイル作成手順
２２  静止画、動画切り出し条件の設定手順
２３  ＡＶＩファイルからの静止画、動画の切り出し手順
２４  キーワード等の入力手順
２５  データベースへの登録記録手順
３１  キーワードの入力手順
３２  キーワードに対する判断手順
３３  静止画像の出力手順
３４  静止画に対する判断手順
３５  静止画の選択手順
３６  動画再生手順
３７  画像確定判断手順
３８  テープ番号等の表示手順
４０  検索画面
４１  カテゴリ選択の欄
４２  日付の欄
４３  キ−ワードの欄
４８  検索ボタン
４９  キーワード入力欄
６１  シーン詳細ボタン
６４  作品詳細ボタン
７０  シーン内容データの欄
７１  第１記録媒体認識記号
８０  第１記録媒体の記録内容データの欄
８０a テープ番号の欄
【図１】
2005339138.tif 000003
【図２】
2005339138.tif 000004
【図３】
2005339138.tif 000005
【図４】
2005339138.tif 000006
【図５】
2005339138.tif 000007
【図６】
2005339138.tif 000008
【図７】
2005339138.tif 000009
【図８】
2005339138.tif 000010